(57)【要約】【課題】  脚部の水抜きを迅速に行うことができるとともに、吸盤を安定して取り付けることができる浴槽台を提供する。【解決手段】  浴槽台は、台部と、該台部の四隅に取付けられている脚部３とからなる。該脚部３は筒状に形成され、該脚部３の下端部には支盤５１が張設され、該支盤５１の中心部から下方に吸盤取付筒５２が差出され、更に該支盤５１の中心部の周りには水抜き孔５３が設けられている。一方、吸盤１４には該吸盤本体１４Ａの上側に支持筒６１が立設され、更に該支持筒６１の内側にボス６２が立設されている。該吸盤１４のボス６２を該脚部３の吸盤取付筒５２に嵌着して該吸盤１４を該脚部３に取り付けるとともに、該吸盤取付筒５２に該ボス６２を嵌着した状態で該脚部３の支盤５１の水抜き孔５３の外縁が該支持筒６１の外周よりも外側に位置するように設定されており、該水抜き孔５３から排出流下する水が該吸盤本体１４Ａの外側を流下する。【選択図】      図７
2008079709.tif 000002
【特許請求の範囲】
【請求項１】
台部と、該台部の四隅に取付けられている脚部とからなる浴槽台であって、
該脚部は筒状に形成され、該脚部の下端部には支盤を張設し、
該支盤の中心部から下方に吸盤取付筒を差出し、更に該支盤の中心部の周りには水抜き孔を設け、
一方、吸盤には該吸盤本体の上側に支持筒を立設し、更に該支持筒の内側にボスを立設し、
該吸盤のボスを該脚部の吸盤取付筒に嵌着して該吸盤を該脚部に取付けるとともに、該吸盤取付筒に該ボスを嵌着した状態で該脚部の支盤の水抜き孔の外縁が該支持筒の外周よりも外側に位置するように設定し、
該水抜き孔から排出流下する水が該吸盤本体の外側を流下するようにしたことを特徴とする浴槽台。
【請求項２】
該吸盤の支持筒の下端には水抜き孔が設けられていることを特徴とする請求項１に記載の浴槽台。
【請求項３】
該吸盤本体の端部には線材が結合されており、該線材を介して該吸盤本体の端部をめくり上げることによって該吸盤本体内の真空を破るようにした請求項１または請求項２に記載の浴槽台。
【発明の詳細な説明】
【技術分野】
【０００１】
本発明は、浴室の床、浴槽内の底等に置いて使用する浴槽台に関するものである。
【背景技術】
【０００２】
従来、浴室の床、浴槽内の底等に置いて使用する浴槽台においては、使用時に動かないようにするため、脚部の下端に吸盤を取り付けたものが提供されている。このような浴槽台は、その脚部が筒体より形成されているものが多く、また筒体より形成された脚部を有する浴槽台については、該脚部内に水が貯まってしまう。そこで、特許文献１に示したように、脚部内に貯まった水を排出可能にした浴槽台が提供されている。なお、特許文献１の浴槽台は、吸盤の一部を脚部に挿入固定するようになっており、その吸盤の脚部に挿入される部位を切り欠き、脚部との間に隙間を形成することで水抜き孔としている。
【０００３】
【特許文献１】特開２００１−３１４３３９号公報
【発明の開示】
【発明が解決しようとする課題】
【０００４】
ところが、上記従来の浴槽台は、水抜き孔が小さく、水抜きに長時間を要してしまうという問題があった。また水抜き孔を大きくすれば水抜きを短時間で行うことができるが、しかし切り欠き部位が大きくなることで吸盤の脚部に挿入される部位のサイズが小さくなり、吸盤の取り付けが不安定になってしまう。
本発明は、このような従来技術に存在する問題点に着目してなされたものである。その目的とするところは、脚部の水抜きを迅速に行うことができるとともに、吸盤を安定して取り付けることができる浴槽台を提供することにある。
【課題を解決するための手段】
【０００５】
上記課題を解決するために、請求項１に記載の浴槽台の発明は、台部と、該台部の四隅に取付けられている脚部とからなる浴槽台であって、該脚部は筒状に形成され、該脚部の下端部には支盤を張設し、該支盤の中心部から下方に吸盤取付筒を差出し、更に該支盤の中心部の周りには水抜き孔を設け、一方、吸盤には該吸盤本体の上側に支持筒を立設し、更に該支持筒の内側にボスを立設し、該吸盤のボスを該脚部の吸盤取付筒に嵌着して該吸盤を該脚部に取付けるとともに、該吸盤取付筒に該ボスを嵌着した状態で該脚部の支盤の水抜き孔の外縁が該支持筒の外周よりも外側に位置するように設定し、該水抜き孔から排出流下する水が該吸盤本体の外側を流下するようにしたことを要旨とする。
上記構成によれば、支盤の水抜き孔の外縁が吸盤の支持筒の外周よりも外側に位置するように設定したことにより、水抜き孔から排出流下する水は、支持筒の外面を伝って、吸盤本体の外側を流下し、脚部外へ迅速に排出される。また吸盤は、該吸盤のボスが脚部の吸盤取付筒に嵌着されることにより、脚部に安定して取り付けられる。さらに該吸盤のボスは、該支持筒の内側に立設されており、例えば水抜き孔を拡げようとする場合も、該水抜き孔の外縁を該支持筒の外周よりも外側に位置させるのみで事が足りるため、該ボスのサイズを小さくする必要はなく、該ボスとして該吸盤を安定して取り付け可能なサイズを確保することができる。
【０００６】
さらに、請求項２において、請求項１に記載の浴槽台の発明で、該吸盤の支持筒の下端には水抜き孔が設けられていることが望ましい。
上記構成によれば、支持筒の内側に水が入り込んでしまった場合でも、該水を外部に排出することができる。
【０００７】
さらに、請求項３において、請求項１または請求項２に記載の浴槽台の発明で、該吸盤本体の端部には線材が結合されており、該線材を介して該吸盤本体の端部をめくり上げることによって該吸盤本体内の真空を破るようにすることが望ましい。
上記構成によれば、線材を引っ張ることによって吸盤本体内の真空を容易に破ることができる。
【発明の効果】
【０００８】
本発明によれば、脚部の水抜きを迅速に行うことができるとともに、吸盤を安定して取り付けることができる。
【発明を実施するための最良の形態】
【０００９】
以下、本発明を図１〜図７に示す一実施例によって説明する。
図１に示すように、浴槽台１は台部２と該台部２の四隅にそれぞれ取り付けられている脚部３とからなる。図２に示すように、該台部２は、平面形状矩形に形成されており、箱型下部４と、該箱型下部４上に被着される蓋型上部５とからなる。
図３に示すように、脚部３は、外筒１２と該外筒１２に下側から内挿される内筒１３とからなり、該内筒１３の下端には吸盤１４が取り付けられている。該内筒１３には、４対のピン孔１５（１５Ａ〜１５Ｄ）が上下に並んで設けられている。また、該外筒１２の下端部には一個のピン孔１６が設けられている。さらに、該内筒１３の外周には、ガイド溝１７が上下に延びるように設けられている。加えて、該外筒１２の下端部は、その周面にねじ溝１８が設けられるとともに、下端から複数条のスリット１９が設けられてチャック状となっており、また該外筒１２の内周には上下にガイド突条１２Ａが設けられている。
【００１０】
該内筒１３は、該内筒１３のガイド溝１７を外筒１２のガイド突条１２Ａに沿わせて外筒１２に内挿され、挿入孔であるピン孔１５のうち一つを選び（図３中ではピン孔１５Ｂ）、該ピン孔１５Ｂを外筒１２のピン孔１６に合わせて固定ピン２４を挿入する。
該固定ピン２４は、Ｃ環状のホルダー２５と、該ホルダー２５の内側から差出されるピン本体２６とからなる。該ピン本体２６をピン孔１５Ｂ，１６に挿入し、該ホルダー２５を切欠部２５Ａを介して外筒１２に嵌めることにより、該固定ピン２４は外筒１２に固定される。
【００１１】
該脚部３は、該外筒１２に対して該内筒１３をスライドさせることによって伸縮自在に構成されており、外筒１２のピン孔１６に合わせて固定ピン２４を何れかのピン孔１５Ａ〜１５Ｄに挿入することにより、使用者の使い勝手に応じて四段階で高さを調節することができるようになっている。なお、本実施形態の脚部３は、ピン孔１５Ａを選んだ場合に最大伸長状態となり、ピン孔１５Ｄを選んだ場合に最縮小状態となる。
加えて、該外筒１２のねじ溝１８には締付けリング２７が螺着されている。該締付けリング２７は、その内周下端にねじ山２８が形成されており、該ねじ山２８を該外筒１２のねじ溝１８に螺合することにより、該外筒１２のねじ溝１８に螺着されている。そして、該締付けリング２７を締付けることにより、該内筒１３と該外筒１２のがたつきを解消する。
【００１２】
該脚部３において、該吸盤１４の端部には、線材であるチェイン２９の一端が結合されている（図１，図２を参照）。図４に示すように、該チェイン２９の他端には、ピン３０が取り付けられている。また、前記台部２の箱型下部４の下面において、脚部３の直近位置にはガイド２９Ａが設けられており、該ガイド２９Ａによって該チェイン２９は、吸盤１４の端部から略垂直に立ち上がるようにガイドされている。さらに、前記台部２において、箱型下部４の下面には、該ピン３０を係合するための係合孔３１が複数個（図４中では係合孔３１Ａ〜３１Ｄの４対で合計８個）が設けられている。
一方、前記台部２において、相対する一対の側縁部として長辺側の側縁部中央には、開放把手３２が設けられている（図２，図４を参照）。該開放把手３２は、両側の上縁部から側方に向かって突設された回動軸３２Ａにて該箱型下部４の長側縁に取り付けられており、該回動軸３２Ａを軸中心として回動自在となっている。また該開放把手３２の両側の下縁部には、該チェイン２９の他端部を引っ掛けるためのガイド突起３２Ｂが突設されている。
なお、本実施形態では線材をチェイン２９としたが、チェイン２９に限らず、線材としてワイヤー、ヒモ、針金などを使用してもよい。
【００１３】
図５に示すように、ピン３０は、端部となる基端部に設けられた円板状の拡径頭部４０と、該拡径頭部４０の一面中心から延設されて先端部を構成する軸部４１とを有する。該軸部４１の先端には、１個または２個以上の縦キー４１Ａ（図５中では２個）が突設されている。該拡径頭部４０の他面には、ノブ４０Ａが直径方向に延びるように形成されている。また該拡径頭部４０の周囲には、四半周面にわたってガイド部４０Ｂが突設されるとともに、該ガイド部４０Ｂには弧状のガイド溝４０Ｃが透設されている。そして、一つの該ピン３０の該ガイド溝４０Ｃには、前記台部２の長辺側で隣接する脚部３の吸盤１４に結合された一対のチェイン２９が合一され、摺動自在に接続されている（図４参照）。
係合孔３１は、箱型下部４を貫通して形成されるとともに、該ピン３０の該縦キー４１Ａに対応するように、係合孔３１の両側部には縦キー溝４２が設けられている。また箱型下部４の上面側となる係合孔３１の端部において、該係合孔３１の周縁部には、段差４３が形成されて降り、該段差４３には該ピン３０の該縦キー４１Ａが係止されるようになっている。
【００１４】
該ピン３０を該係合孔３１へ固定する場合、該ピン３０の該縦キー４１Ａと、該係合孔３１の該縦キー溝４２とが対応する位置関係となるようにしたうえで、該ピン３０の該軸部４１を該係合孔３１に挿入する。次いで、該ピン３０を該係合孔３１に係合せしめたうえで、該ピン３０のノブ４０Ａを摘んで該ピン３０を回動させる。すると、該ピン３０の該縦キー４１Ａは、該係合孔３１の該段差４３によってガイドされつつ、該段差４３に係止され、該縦キー４１Ａの該段差４３への係止により、該ピン３０が該係合孔３１に固定される。
上記浴槽台１は、脚部３に取り付けられた吸盤１４を用い、該浴槽台１を浴槽の底、浴室の床などに固定して使用する。その使用時において、該浴槽台１は、使用者の体格、使い勝手などに応じて、該脚部３を適宜高さ調節する。この高さ調節時において、吸盤１４に結合されたチェイン２９は、ゆるみ過ぎ足り、あるいは張り過ぎたりしてしまうため、該脚部３の伸縮の度合に対応して該ピン３０を該係合孔３１のいずれかに付け替えて係合し、適宜調節する。
【００１５】
上記浴槽台１を移動などのためにその吸盤１４による固定を解除する場合には、開放把手３２に手を掛け、このまま上方へ腕を引く。すると、開放把手３２は、回動軸３２Ａを軸中心として該台部２の外側に向かって開くように回動する（図２参照）。このときチェイン２９の他端部は、図４に示したように、ガイド２９によってガイドされ、さらに該開放把手３２の下縁部に突設されているガイド突起３２Ｂによってガイドされたうえで合一されて一つのピン３０のガイド溝に接続されている。一方、ピン３０は、上記のように脚部３の伸縮の度合に対応した適切な係止孔３１（図４中で係止孔３１Ｂ）に係止されることによって台部２の下面に固定されている。このため、チェイン２９は、適度な張力を保持しつつ、一端が吸盤１４に結合されながらも、台部２に固定されたピン３０に接続された他端が固定された状態にあり、チェイン２９の他端部は、ガイド突起３２Ｂを介して開放把手３２の下縁部と繋がった状態となっている。従って、開放把手３２を回動させたとき、チェイン２９の他端部がガイド突起３２Ｂによって台部２の外側へ向かって引っ張られることにより、チェイン２９は、ガイド２９によってガイドされつつ吸盤１４の端部を略垂直の上方向へ引っ張り上げ、該吸盤１４の端部をめくり上げる。その結果、該吸盤１４の内部の真空が破られ、該吸盤１４による固定が解除される。
【００１６】
なお、本実施形態において、台部２の各係合孔３１Ａ〜３１Ｄの位置は、脚部３の各ピン孔１５Ａ〜１５Ｄそれぞれに対応する伸縮度において、開放把手３２によってチェイン２９が引上げられる程度に張った状態になるような位置に設定されている。
また、開放把手３２の回動によって吸盤１４の真空を破るように構成したことにより、指を握りこむ等のように指先に力を込めることなく、開放把手３２に指をかけて浴槽台１を持ち上げるという自然な動作で吸盤１４の端部をめくり上げることができ、浴槽台１の固定を解除するために大きな力を必要とすることはない。
【００１７】
図６（ａ）に示すように、前記脚部３において、内筒１３は筒状に形成されており、その下端部には支盤５１が張設されている。該支盤５１の中心部から下方には、吸盤取付筒５２が差出されている。該支盤５１の中心部の周りには４つの水抜き孔５３が設けられている。該支盤５１の周縁部から下方には、カバー筒５４が差出されている。また該吸盤取付筒５２の下端外周面には、一対の係止爪５２Ａが側方に差出されている。加えて、該吸盤取付筒５２の下端周壁には、ガイド溝５２Ｂが切欠き形成されている。
一方、図６（ｂ）に示すように、前記脚部３において、吸盤１４には、吸盤本体１４Ａの上側に支持筒６１が立設されるとともに、該支持筒の内側にボス６２が立設されている。該支持筒６１の内側において、該支持筒６１と該ボス６２との間には、該内筒１３のガイド溝５２Ｂと対応する位置となるように、ガイド壁６３が立設されている。さらに、該支持筒６１の下端には、水抜き孔６４が該支持筒６１の周壁を貫通して形成されている。加えて、該ボス６２の下端には、水抜き孔６５が該ボス６２の周壁を貫通して形成されている。これら水抜き孔６４，６５は、該支持筒６１及び該ボス６２の内部と外部とを連通させている。また、該吸盤１４は、該吸盤本体１４Ａの内側に複数の小吸盤１４Ｂが設けられることにより、その吸着力が向上されている。
【００１８】
図７に示すように、該吸盤１４は、該ボス６２が該内筒１３の該吸盤取付筒５２に嵌着されることにより、該脚部３に取り付けられている。該吸盤取付筒５２に該ボス６２を嵌着した状態で、該内筒１３の支盤５１の水抜き孔５３の外縁は、該支持筒６１の外周よりも外側に位置するように設定されている。このため、該内筒１３の支盤５１上に貯まろうとして該水抜き孔５３から排出流下する水は、図７中に外側の矢印で示したように、該支持筒６１の外面を伝いつつ、該吸盤本体１４Ａの外側を流下して外部に排出される。また該吸盤取付筒５２内に貯まろうとする水は、図７中に中央及び横向きの矢印で示したように、該ボス６２の内側から水抜き孔６４，６５を通り、該吸盤本体１４Ａの外側を流下して外部に排出される。従って、該脚部３内に貯まろうとする水は、水抜き孔５３，６４，６５から迅速に外部へ排出される。
一方、該吸盤取付筒５２に該ボス６２を嵌着した状態で、該支持筒６１の上端は支盤５１の下面に当接しており、該浴槽台１に上方から加わる重量を該支持筒６１を介して該吸盤１４が好適に支持するようになっている。さらに、吸盤取付筒５２に設けられた一対の係止爪５２Ａは、該支持筒６１の水抜き孔６４に入り込むことによって係止されており、該脚部３からの該吸盤１４の脱着を抑制している。加えて、該吸盤取付筒５２に該ボス６２を嵌着した状態で、該吸盤１４のガイド壁６３は、該内筒１３のガイド溝５２Ｂに係合しており、該吸盤１４の回り止めをしている。
【００１９】
なお、上記実施例以外、開放把手３２は、台部２の短側縁に取り付けてもよい。また、ピン３０等を省略し、チェイン２９の他端を開放把手３２の下縁部に接続してもよい。また、支盤５１の水抜き孔５３の外縁が該支持筒６１の外周よりも外側に位置するように設定されているならば、支持筒６１の形状、水抜き孔５３の形状、ボス６２の形状は、上記実施例以外の形状としてもよい。また、本発明の浴槽台１は、例えば合成樹脂を材料とし、吸盤１４や蓋型上部５の上面はゴムまたはエラストマーを材料とする。
【図面の簡単な説明】
【００２０】
【図１】浴槽台を示す斜視図。
【図２】浴槽台を示す概念図。
【図３】脚部を示す分解斜視図。
【図４】台部を下面から見た状態を示す平面図。
【図５】（ａ）はピンを係合孔に係合する状態を示す平面図及び断面図、（ｂ）はピンを係合孔に係止した状態を示す平面図及び断面図。
【図６】（ａ）は脚部の下端部を上から順番に上方、側方、下方から見た状態を示す断面図、（ｂ）は吸盤を上方及び側方から見た状態を示す断面図と、吸盤の側面図。
【図７】脚部の下端に吸盤を取り付けた状態で、上から順番に上方、下方、側方から見た状態を示す断面図。
【符号の説明】
【００２１】
１                浴槽台
２                台部
３                脚部
４                箱型下部
５                蓋型上部
１２              外筒
１３              内筒
１４              吸盤
１５              係合部
２９              線材であるチェイン
２９Ａ            ガイド
３０              ピン
３１              係合孔
３２              開放把手
３２Ｂ            ガイド突起
４０              拡径頭部
４０Ｂ            ガイド部
４０Ｃ            ガイド溝
４１Ａ            縦キー
４２              縦キー溝
５１              支盤
５２              吸盤取付筒
５３              水抜き孔
６１              支持筒
６２              ボス
６４              水抜き孔
【図１】
2008079709.tif 000003
【図２】
2008079709.tif 000004
【図３】
2008079709.tif 000005
【図４】
2008079709.tif 000006
【図５】
2008079709.tif 000007
【図６】
2008079709.tif 000008
【図７】
2008079709.tif 000009